(57)【要約】【課題】無動力自動車玩具に対し、レール上の任意の場所で自由に、かつ、容易に走行力を付与することができて、無動力自動車玩具によるレースに参加する楽しみを得られる走行装置を提供する。【解決手段】ケースと、ケース外方へ突出する回転板を備え、上記回転板を無動力自動車玩具に当接させることにより自動車玩具に対して自走力を付与する無動力自動車玩具の走行装置であって、上記ケースは、使用者が把持した状態で上記ケースを自由に保持しうる把持部を有し、使用者はケースを保持した状態で上記自動車玩具に対して自走力を付与しうるように構成されていることを特徴とする。【選択図】        図１
2004154400.tif 000002
【特許請求の範囲】
【請求項１】
ケースと、ケース外方へ突出する回転板を備え、上記回転板を無動力自動車玩具に当接させることにより自動車玩具に対して自走力を付与する無動力自動車玩具の走行装置であって、
上記ケースは、使用者が把持した状態で上記ケースを自由に保持しうる把持部を有し、使用者はケースを保持した状態で上記自動車玩具に対して自走力を付与しうるように構成されていることを特徴とする無動力自動車玩具の走行装置。
【請求項２】
上記ケースは全体棒状に形成され、上記回転板は、ケースの上端部に配置されてケース本体から外方へ突出するように設けられていることを特徴とする請求項１記載の無動力自動車玩具の走行装置。
【請求項３】
上記ケース内には、上記回転板を駆動させるモータと、このモータに駆動電力を供給しうる電池が内装されていることを特徴とする請求項２記載の無動力自動車玩具の走行装置。
【請求項４】
上記自動車玩具は、レール状に形成された走行路内を走行するように構成され、上記走行路側方又は上方から、走行路の所望の位置において走行装置により自走力が付与されることを特徴とする請求項１記載の無動力自動車玩具の走行装置。
【請求項５】
上記走行路は、走行路面部と、走行路面部の側部に立設されたガイドレール部とにより形成され、上記回転板は、上記ガイドレール部の上方から走行路面部上に配置された自動車玩具の側部又は天部に当接して、又は走行路面部の上方から走行路面部上に配置された自動車玩具の天部又は側部に当接して自走力を付与することを特徴とする請求項４記載の無動力自動車玩具の走行装置。
【発明の詳細な説明】
【０００１】
【発明の属する技術分野】
本発明は、無動力自動車玩具の走行装置に関する。
【０００２】
【従来の技術】
無動力自動車玩具は自走不能なので、レール上で走行させるためには外部から走行力を付与する必要がある。従来は、図７乃至図１０に示すように、レール２０の所要位置にモータで回転する回転板２１を固定状態で設置している。そして、図７に示すように、回転板２１に取り付けたゴム等の摩擦抵抗力の大きい部材２３を無動力自動車玩具２２の側部に接触させたり、又は図８に示すように、回転板２１を縦向きにして無動力自動車玩具２２の天部に接触させたり、又は図９に示すように、回転板２１を横向きにして無動力自動車玩具２２の天部に接触させたり、又は図１０に示すように、回転板２１を横向きにして逆向きの２台の無動力自動車玩具２２の天部に接触させることにより、その回転板２１の回転力を無動力自動車玩具２２の走行力に変換して当該無動力自動車玩具２２に伝達している。なお、図７乃至図１０において（Ａ）は平面図を、（Ｂ）は正面図を示している。
【０００３】
しかしながら、このような回転板２１は定まった位置に設置してあるので、無動力自動車玩具２２が他の場所で止まってしまったり、スピードがダウンしても、手を施すことができないという不満があった。また、走行している無動力自動車玩具２２を加速する等の操作を行えないので、単に見ているだけしかなく、レースに参加できないという不満があった。したがって、無動力自動車玩具２２にはコレクションの楽しみしかなかった。
【０００４】
なお、上記の従来技術は出願人が知っている先行技術であるが、これらの先行技術は文献公知発明に係るものではなく、出願人が知っている先行技術文献はない。
【０００５】
【発明が解決しようとする課題】
本発明は、無動力自動車玩具に対し、レール上の任意の場所で自由に、かつ、容易に走行力を付与することができて、無動力自動車玩具によるレースに参加する楽しみを得られる走行装置の提供を課題とする。
【０００６】
【課題を解決するための手段】
上記課題を解決するために、本発明の無動力自動車玩具の走行装置は、ケースと、ケース外方へ突出する回転板を備え、上記回転板を無動力自動車玩具に当接させることにより自動車玩具に対して自走力を付与する無動力自動車玩具の走行装置であって、上記ケースは、使用者が把持した状態で上記ケースを自由に保持しうる把持部を有し、使用者はケースを保持した状態で上記自動車玩具に対して自走力を付与しうるように構成されていることを特徴とする、という構成にしたものである。
【０００７】
また、上記の本発明の無動力自動車玩具の走行装置における上記ケースは、全体棒状に形成され、上記回転板は、ケースの上端部に配置されてケース本体から外方へ突出するように設けられている構成にすることができる。
【０００８】
また、上記の本発明の無動力自動車玩具の走行装置における上記ケース内には、上記回転板を駆動させるモータと、このモータに駆動電力を供給しうる電池が内装されている構成にすることができる。
【０００９】
また、上記の本発明の無動力自動車玩具の走行装置における上記自動車玩具は、レール状に形成された走行路内を走行するように構成され、上記走行路側方又は上方から、走行路の所望の位置において走行装置により自走力が付与される構成にすることができる。
【００１０】
また、上記の本発明の無動力自動車玩具の走行装置における上記走行路は、走行路面部と、走行路面部の側部に立設されたガイドレール部とにより形成され、上記回転板は、上記ガイドレール部の上方から走行路面部上に配置された自動車玩具の側部又は天部に当接して、又は走行路面部の上方から走行路面部上に配置された自動車玩具の天部又は側部に当接して自走力を付与する構成にすることができる。
【００１１】
【発明の実施の形態】
以下、図１乃至図６を用いて本発明の実施の形態について説明する。本発明の走行装置は、まず、図１及び図２に示すように、ケース１は手に持って自由に持ち運び可能なサイズにしている。そして、ケース１には手に持つための、すなわち把持部としてのハンドル部２を設けている。
【００１２】
ケース１は、先端部に回転板３を取り付けている。この回転板３は、ケース１の上端部に配置されてケース本体から外方へ突出している。そして、少なくともその一部を露呈している。例えば、回転板３の中央部をカバー４で覆い、左右両端部を露呈させることができる。この回転板３の露呈箇所は無動力自動車玩具５に接触する部位となる。
【００１３】
回転板３において無動力自動車玩具５に接触する部位、例えば回転板３の外周縁部には、ゴム等の摩擦抵抗力の大きい部材６を取り付けることができる。このゴム等の摩擦抵抗力の大きい部材６は、図２においては、Ａ，Ｂ，Ｃ，Ｄの４箇所において無動力自動車玩具５に接触させることができる。このような摩擦抵抗力の大きい部材６を回転円板３に取り付けることにより無動力自動車玩具５に走行力を付与しやすくなる。なお、回転板３の全体をゴム等の摩擦抵抗力の大きい部材６で形成することも可能である。
【００１４】
ケース１の内部には、図２に示すように、先端側にモータ７を内蔵している。そのモータ７の回転軸８には上記の回転板３を接続するが、回転軸８と回転板３は直結することが好ましい。このように回転軸８と回転板３とを直結すれば、パーツを減らし、かつ、不良品が生じにくくなって生産性を高めることができ、さらに、回転板３に指などが触れたときに回転を止めやすくなって安全性が高いからである。
【００１５】
ケース１の内部には、図２に示すように、ハンドル部２の内部に、電池９を内装することができる。なお、電池には充電可能な蓄電池も含むものとする。ケース１の内部にはリード線１０、接点１１などの必要な電気回路用構成部品を備えることができる。また、ケース１の外面部には回転板３を回転させたり、その回転を停止させる操作を行なうスイッチ１２を取り付けることができる。
【００１６】
また、図３に示すように、ケース１の内部にはモータ７のみを内装して、これとは別個に電池９を収納する電池ケース１９を具えて、その電池ケース１９とケース内のモータ７とをコード２４で繋ぐ構成にすることも可能である。
【００１７】
ところで、図１ないし図３に示したものは、回転板３をケース１の上方へ突設しているが、図４及び図５に示すように、回転板３をケース１のサイド方向へ向けて突設することも可能である。
【００１８】
また、図１及び図２に示したようなカバー４のごとき部材を取り除いて、図３ないし図５に示すように、回転板３の全周縁部を露呈させることも可能である。なお、この回転板３にもゴム等の摩擦抵抗力の大きい部材６を取り付けることができる。このようにすれば、図４において、Ｂ及びＣの差し示す箇所を主に無動力自動車玩具５に接触させることができる。なお、Ｂはゴム等の摩擦抵抗力の大きい部材６の端面を指し示しているが、無動力自動車玩具５に接触させるのは上半部のほぼ半周部が適している。また、Ｃはゴム等の摩擦抵抗力の大きい部材６の外面を指し示しているが、その外面の全周を無動力自動車玩具５に接触させることができる。
【００１９】
次に本発明装置の使用方法について説明する。まず、図６に示すように、無動力自動車玩具５の走行路となるレール１４を組み立てる。この走行路は、走行路面部１７と、走行路面部１７の側部に立設されたガイドレール部１８を有する構造にすることができる。このレール１４には、無動力自動車玩具５がコースを周回した回数をカウントする回転計１５や、コースを何秒で走行したかを計測するタイマ１６等を付設して、本格的なバトルレースを楽しむことができる。
【００２０】
次に、レール１４の走行路面部１７上に無動力自動車玩具５を置く。そして、本発明の装置における回転板３を回転させて、その回転板３を、特にその回転板３に取り付けたゴム等の摩擦抵抗力の大きい部材６を無動力自動車玩具５の天部又は側部に接触させて、その回転板３の回転力を無動力自動車玩具５に伝達する。回転板３の回転力は伝達時に無動力自動車玩具５の直進力に変換され、これにより無動力自動車玩具５は走行可能となる。
【００２１】
無動力自動車玩具５のスピードが落ちたら、本発明装置の回転板３を任意の位置で再び無動力自動車玩具５に接触させて加速することができる。
【００２２】
なお、レール１４に複数のコースを設ければ、複数台の無動力自動車玩具５でレースを楽しむことができる。
【００２３】
【発明の効果】
請求項１記載の本発明の走行装置は、レール１４の定まった位置に固定するのではなく、手に持って任意の位置へ移動することができ、かつ、何度でも無動力自動車玩具に接触させることができるので、コースの途中で止まってしまうことを防止し、また、スピードダウンした場合に加速することができる。したがって、無動力自動車玩具が走行するのを単に見ているだけではなく、レースを行なってそのレースに積極的に参加できるという楽しみが得られる。また、無動力自動車玩具はモータを搭載しないので、非常に安価であり、子供の小遣いでも多数コレクションすることが容易であるという利点がある。そして、モータを搭載しないことにより無動力自動車玩具を超ミニカーサイズにすることができるので、レールも小型化して机上やテーブル上に組むことができる。したがって、子供でも本発明の装置を使えば、レール上のどの位置にも手が届いて無動力自動車玩具に走行力を付与することができる。
請求項２記載の本発明の走行装置は、ケースが全体棒状に形成されているので手で持ちやすく、又、回転板がケースの上端部に配置されてケース本体から外方へ突出するように設けられているので邪魔にならず且つ無動力自動車玩具に接触させやすく、使い勝手が頗る良好である。
請求項３記載の本発明の走行装置は、ケース内に回転板を駆動させるモータと、このモータに駆動電力を供給しうる電池が内装されているので、持ち運びに利便で移動させやすい。
請求項４記載の本発明の走行装置は、自動車玩具がレール状に形成された走行路内を走行するように構成されるので、自動車玩具を制御しやすく、また、レースを行なって楽しむことができる。
請求項５記載の本発明の走行装置は、走行路が、走行路面部と、走行路面部の側部に立設されたガイドレール部とにより形成されるので、自動車玩具が走行路から脱落しにくい。
【図面の簡単な説明】
【図１】斜視図である。
【図２】断面図である。
【図３】他の実施例の断面図である。
【図４】他の実施例の断面図である。
【図５】図４のＡ−Ａ線矢視図である。
【図６】使用状態を示す斜視図である。
【図７】無動力自動車玩具に走行力を付与する従来の方法を示す説明図である。
【図８】無動力自動車玩具に走行力を付与する従来の方法を示す説明図である。
【図９】無動力自動車玩具に走行力を付与する従来の方法を示す説明図である。
【図１０】無動力自動車玩具に走行力を付与する従来の方法を示す説明図である。
【符号の説明】
１  ケース
２  ハンドル部
３  回転板
４  カバー
５  無動力自動車玩具
６  ゴム等の摩擦抵抗力の大きい部材
７  モータ
８  回転軸
９  電池
１０  リード線
１１  接点
１２  スイッチ
１４  レール
１５  回転計
１６  タイマ
１７  走行路面部
１８  ガイドレール部
１９  電池ケース
２０  レール
２１  回転板
２２  無動力自動車玩具
２３  ゴム等の摩擦抵抗力の大きい部材
２４  コード
【図１】
2004154400.tif 000003
【図２】
2004154400.tif 000004
【図３】
2004154400.tif 000005
【図４】
2004154400.tif 000006
【図５】
2004154400.tif 000007
【図６】
2004154400.tif 000008
【図７】
2004154400.tif 000009
【図８】
2004154400.tif 000010
【図９】
2004154400.tif 000011
【図１０】
2004154400.tif 000012